(57)【要約】【課題】引戸を閉じるだけで施錠でき、引戸を開く際には引戸を見込方向に押圧するだけで解錠できる引戸の開閉ロック構造及び従来の施錠方法と併用することでさらに防犯性が高くなる開閉ロック構造の提供を目的とする。【解決手段】戸枠の内側を左右方向にスライドする引戸の開閉ロック構造であって、戸枠は戸当り側に引戸の戸先を呑み込むための呑込凹部を有し、前記呑込凹部は凹部内側見付け面から内側見込方向に向けて突出した係止部と、引戸が閉じる方向に移動するにつれて戸先を前記係止部側に向けて押圧する押圧手段を有し、引戸の戸先は前記戸枠側の係止部に係止する被係止部を有することを特徴とする。【選択図】  図１
0003170233.tif 000002
【実用新案登録請求の範囲】
【請求項１】
戸枠の内側を左右方向にスライドする引戸の開閉ロック構造であって、
戸枠は戸当り側に引戸の戸先を呑み込むための呑込凹部を有し、
前記呑込凹部は凹部内側見付け面から内側見込方向に向けて突出した係止部と、引戸が閉じる方向に移動するにつれて戸先を前記係止部側に向けて押圧する押圧手段を有し、
引戸の戸先は前記戸枠側の係止部に係止する被係止部を有することを特徴とする引戸の開閉ロック構造。
【請求項２】
前記戸枠の係止部と引戸の被係止部のうち、少なくとも一方は引戸が閉じる方向に突出量が増大する傾斜面を有する係止部又は／及び被係止部であることを特徴とする請求項１記載の引戸の開閉ロック構造。
【請求項３】
引戸が閉じた状態から当該引戸を見込み方向であって、押圧手段に対向する方向に押圧するだけでロックが解除されるものであることを特徴とする請求項１又は２記載の引戸の開閉ロック構造。
【考案の詳細な説明】
【技術分野】
【０００１】
本考案はクレセント等のような錠を用いることなく、引戸の開閉をロック及びロック解除できる引戸構造に関する。
【背景技術】
【０００２】
例えば引違い戸にあっては、召合部にクレセント錠を設けることが一般的であり、防犯性に優れるものの取り付けスペースが必要であり、デザイン的にもすっきりしないものであった。
例えば二階以上の窓、室内間仕切引戸、パーテションルームやクリーンルームの出入口引戸、チケット売場の窓口引戸、掲示板の仕切引戸、換気用高窓等、必ずしもクレセント錠程の高い防犯性が要求されない引戸も多く存在する。
本考案はこのような引戸において、引戸を閉じるだけで開きをロックでき、その解除が容易な構造を検討した結果、出来上がったものである。
【０００３】
特許文献１は、板バネを用いて引戸の全開位置を保持する構造を開示するが、引戸の開閉ロック構造に適用できるものではない。
特許文献２は、戸の閉動作のみで施錠され、戸の開動作のみで解錠されるサッシ用錠装置を開示するが、錠構造が複雑であり汎用性に劣る。
【先行技術文献】
【特許文献】
【０００４】
【特許文献１】特許第３６５８２７４号公報
【特許文献２】特開２００９−２４３１４６号公報
【考案の開示】
【考案が解決しようとする課題】
【０００５】
本考案は、引戸を閉じるだけで施錠でき、引戸を開く際には引戸を見込方向に押圧するだけで解錠できる引戸の開閉ロック構造及び従来の施錠方法と併用することでさらに防犯性が高くなる開閉ロック構造の提供を目的とする。
【課題を解決するための手段】
【０００６】
本考案に係る引戸の開閉ロック構造は、戸枠の内側を左右方向にスライドする引戸の開閉ロック構造であって、戸枠は戸当り側に引戸の戸先を呑み込むための呑込凹部を有し、前記呑込凹部は凹部内側見付け面から内側見込方向に向けて突出した係止部と、引戸が閉じる方向に移動するにつれて戸先を前記係止部側に向けて押圧する押圧手段を有し、引戸の戸先は前記戸枠側の係止部に係止する被係止部を有することを特徴とする。
【０００７】
本考案において引戸とは、引違い戸、片引戸等、戸枠の内側をスライド開閉する引戸をいい、人の出入口のみならず建築物の開口部に用いる窓構造、チケット売場の窓口構造等を含む。
【０００８】
本考案で引戸を閉じるだけで施錠（ロック）する構造を採用する際に戸枠の係止部と引戸の被係止部のうち、少なくとも一方は引戸が閉じる方向に突出量が増大する傾斜面を有する係止部又は／及び被係止部であることが好ましい。
このようにすると、引戸が閉じた状態から当該引戸を見込み方向であって、押圧手段に対向する方向に押圧するだけでロックが解除されることになる。
【０００９】
本考案に用いる押圧手段は、引戸の戸先が戸枠の戸当り凹部に呑み込まれるにつれて引戸の戸先が係止部側に押圧されるものであれば、その構造に限定がない。
例えば戸枠の呑込凹部の係止部を有する見付け面とは反対側の見付け面に凹部の底部側に向けて突出量が増大する傾斜面を設ける構造が例として挙げられる。
この場合に引戸を開けるときは引戸の戸先をこの傾斜面の押圧に対抗するように押圧するので、この傾斜面は弾性材で形成してもよい。
また、押圧構造は戸先が戸当り部に当たる際にＬ字形の一方の辺を戸先にて押圧すると他方の辺が戸先を側部から係止部側に押圧するＬ字形てこ構造でもよい。
さらには、戸先が呑込凹部の奥に入る際にこの戸先を係止部側に押圧するバネ部材を設けることも例として挙げられる。
本考案で戸枠の戸当り側に設ける係止部は、必ずしも縦枠全長にわたって設ける必要はなく、下部部分あるいは下枠と縦枠とのコーナー部のみに設けてもよい。
また、戸枠側の呑込凹部も少なくとも引戸の戸先側の被係止部を呑み込むものであれば、戸先を部分的に呑み込む構造でもよい。
【００１０】
引戸が戸枠の下枠の上面に設けたレール部を戸車を介して移動する構造にあっては戸車とレール部との間に引戸の見込み方向の移動を許容する構造を採用するのがよい。
そのような戸車構造としては戸車のレール部当接溝の溝幅に見込み方向の遊びを設けてもよく、戸車が見込み前後方向に傾く構造、あるいは戸車の軸部が見込み前後方向に移動してもよい。
また、引戸の室内側に手掛部を取り付け手掛部の操作により引戸の開閉及び施錠、解錠をするようにしてもよい。
このようにすると、防犯性がさらに向上する。
【考案の効果】
【００１１】
本考案に係る引戸は戸枠の戸当り部に近づくにつれて係止部側に押圧手段により押圧されるので、引戸を閉じるだけで開かないようにロックされる。
一方、引戸を開ける際には引戸を係止部とは反対方向に押圧するだけで係止部とのロックが解除される。
これにより、従来のクレセント錠のような錠装置を取り付けることなく、引戸の開閉をロックでき、この係止部は外から見えにくいのでデザイン的にスッキリする。
なお、従来のクレセント錠等と組み合せると、さらに防犯性が向上する。
【図面の簡単な説明】
【００１２】
【図１】引戸の戸先が閉じるとロックされる動作説明図を示す。
【図２】引違い戸に本発明を適用した例を示す。
【図３】戸先の押圧手段としてＬ字形状のてこを用いた例を示す。
【図４】戸先の押圧手段として板バネを用いた例を示す。
【図５】戸先の被係止部を挟み込むように係止部と押圧手段とを設けた例を示す。
【図６】戸車が見込み方向に移動する構造例を示す。
【図７】本発明を片引戸に適用した例を示す。
【図８】ロック構造をコーナー下端部に設けた例を示す。
【図９】ロック機構を縦枠に部分的に設けた例を示す。
【考案を実施するための最良の形態】
【００１３】
本考案に係る引戸の開閉ロック構造例を以下図面に基づいて説明する。
図２に引違い戸の断面構造例を示す。
戸枠１０は左右の縦枠１１，１２と下枠１３及び図示を省略した上枠にて形成した略方形の枠体である。
下枠１３の内側上面にレール部１３ａを有し、このレール部１３ａに沿って左右の引戸２０，３０が開閉する。
引戸２０は戸先となる堅框２１，召合框２２，下框２３及び図示を省略した上框とで形成し、内側にガラス等が装着されている。
図２（ａ）は左右の２枚の引戸が閉じた状態、（ｂ）は右側の引戸を少し開いた状態、（ｃ）は左側の引戸を少し開いた状態を示す。
【００１４】
本考案に係るロック構図例を図１にて説明する。
戸当り部を有する縦枠１１は、引戸２０の戸先を呑み込むための呑込凹部１１ａを有し、呑込凹部１１ａの室内側の見付け面内側から内側に向けて突出形成した係止部１１ｂを有する。
係止部１１ｂは呑込凹部１１ａの底部側（戸当り面）になるにつれて内側への突出量が増大する傾斜面１１ｃを有する実施例になっている。
一方、呑込凹部１１ａの内側の係止部１１ｂと対向する見付け面に押圧部１１ｄを有する。
図１に示した実施例では押圧部１１ｄの断面形状を略三角形状にし、引戸が閉じる方向に沿って内側への突出量が増大した斜面に堅框２１のコーナー部が突き当たり、図１（ａ）→（ｂ）に示すように引戸の戸先を室内側に向けて押圧する。
一方、戸先である堅框は見付け面から室内側、即ち係止部１１ｂ側に向けて突出した被係止部２１ａを有する。
これにより引戸２０を閉じるだけで引戸の被係止部２１ａが戸当り側の係止部１１ｂに係止し、引戸が閉じた状態にロックされる。
また、引戸２０を開く際には図１（ｃ）に示すように引戸２０を室外側に押すとロックが解除する。
【００１５】
図３は押圧手段として略Ｌ字形状のてこを用いた実施例を示す。
押圧部１１ｄは支点１１３を中心に回動する断面略Ｌ字形状で一方の辺１１１が室内側に向けて見込み方向に突出し、他方の辺１１２が見付け方向に呑込凹部１１ａの見付け面に沿って突出している。
図３（ａ）の状態から引戸２０が閉じ、戸先が一方の辺１１１に当たると、その力で他方の辺１１２が支点１１３を中心にして内側に倒れ込み、そのてこの力で戸先が図３（ｃ）に示す矢印の方向に移動し、戸先の被係止部２１ａが戸当り側の係止部１１ｂに係止する。
【００１６】
図４は押圧部として板バネ１１ｄを設けた例を示す。
引戸が閉じ戸先が板バネ１１ｄに当たると、図４（ｂ）に示すように板バネ１１ｄが一旦は室外方向に変形するが、被係止部２１ａが係止部１１ｂの傾斜面１１ｃを乗り越えると、図４（ｃ）に示すように板バネ１１ｄの反発力にて戸先が室内側に移動し、ロックされる。
本考案では、引戸の戸先を室外側に押してロックを解除できるが、例えば図４に示すように、室内側に施錠機能を有する手掛部材５０を取り付けてもよい。
この手掛部材５０は、室内外方向に回動する作動片５２と、図４（ｃ）に示すように、係止部１１ｂの室内側に回動する操作片５１とからなる。
これにより、戸先の被係止部２１ａが縦枠の係止部１１ｂに係止した状態で操作片５１を係止部の室内側に倒すと戸先を室外側に移動させることができずに施錠した状態になる。
この操作片５１を垂直方向に回し、引戸の開く方向に引くと作動片５２のてこ作用で戸先２１が室外側に移動し手掛部材５０の開き操作と同じにロックが解除される。
【００１７】
図５に示した例は呑込凹部１１ａとして戸先側の突片状に形成した被係止部２１ａを呑み込むようにした例である。
【００１８】
引戸２０は開閉動作に伴い、室内外方向に移動する。
引戸２０が閉じる際には室内側に移動し、そのままロックされ、逆に引戸２０のロックを解除し、開くには引戸２０を室外側に押圧し、ロックを解除してから開くことになる。
この室内外方向の移動は戸車２３ａのレール部１３ａとの接触溝に室内外方向の遊びを設けるだけで充分であるが、積極的に移動をサポートするには図６（ａ）に示すように戸車２３ａのシャフト２３ｂにコイルバネ２３ｃを設けてもよく、図６（ｂ）に示すように戸車２３ａの取付枠２３ｄが傾くようにしてもよい。
【００１９】
図７はロック構造を片引戸に適用した例である。
また、ロック構造は縦枠全長にわたって設ける必要はなく、例えば図８に示すように下枠１３に沿って突出されるように部分的に設けてもよく、図９に示すように縦枠１１の下側に部分的に設けてもよい。
【符号の説明】
【００２０】
１０        戸枠
１１        縦枠（戸当り）
１１ａ      呑込凹部
１１ｂ      係止部
１１ｃ      傾斜面
１１ｄ      押圧部
２０        引戸
２１        堅框（戸先）
２１ａ      被係止部
【図１】
0003170233.tif 000003
【図２】
0003170233.tif 000004
【図３】
0003170233.tif 000005
【図４】
0003170233.tif 000006
【図５】
0003170233.tif 000007
【図６】
0003170233.tif 000008
【図７】
0003170233.tif 000009
【図８】
0003170233.tif 000010
【図９】
0003170233.tif 000011